(57)【特許請求の範囲】
【請求項１】
前方が開口するケースに複数の表示部を有する表示器を固定し、前記ケースの開口側に前記各表示部を透視可能とする透視部と当該透視部を前記各表示部に対応する複数の表示エリアとして縁取る縁部とを有する前面カバーを設け、この前面カバーに前記縁部の前面を覆う装飾部材を設けてなり、この装飾部材の端部が前記縁部に形成した隠蔽部によって視認方向と交差する方向に覆われてなる表示装置において、隣接する前記各表示エリアの間に位置する前記透視部上領域に前記隠蔽部が形成されない欠損部を形成し、この欠損部に対応する前記透視部箇所に前記装飾部材の端部を収納する凹部を設けたことを特徴とする表示装置。
【請求項２】
前記装飾部材は、金属からなることを特徴とする請求項１に記載の表示装置。
【発明の詳細な説明】
【技術分野】
【０００１】
本発明は、例えばオートバイからなる車両に搭載された表示装置に関し、特に複数の表示エリアを仕切る縁部材の前方に装飾リングを被せた表示装置に関するものである。
【背景技術】
【０００２】
複数の表示エリアを装飾リングで仕切る表示装置として、特許文献１が知られている。この表示装置は、前方が開口する計器ケース（ケース）内に指針式計器からなる表示器を固定し、計器ケースの開口側に表示器を視認可能とする窓部を有する見返し部材を配置し、この見返し部材の前面を覆うように透光性の樹脂材料からなる前面カバーを設け、この前面カバーの内側であって見返し部材と表示器との間に装飾リングを配置し、この装飾リングの一部が窓部の内周から視認されるようになっている。
【０００３】
ところで、特許文献１のように、装飾リングを用いる表示装置の中には、前面カバーの内部ではなく、図５及び図６に示すように、前面カバーの外部に装飾リングＲを設け、この装飾リングＲにより表示エリアを複数の表示エリアＡ１，Ａ２に区画するタイプのものがある。
【０００４】
すなわち、図５及び図６に示す表示装置は、前面カバーが透光性の合成樹脂材料からなる透視部Ｔと、遮光性の合成樹脂からなる縁部Ｆとを有する二重成形体として形成され、縁部Ｆの表面を金属製の装飾リングＲで覆う構成である。
【先行技術文献】
【特許文献】
【０００５】
【特許文献１】特開２００８−１８０６６３号公報
【発明の概要】
【発明が解決しようとする課題】
【０００６】
ところで、装飾リングＲを金属材で形成する場合、金属板をプレス成形する手法が用いられるが、装飾リングＲをプレス成形すると、その内周及び外周端部にバリが発生する。このバリは見栄え品質を低下させるため、除去する必要があるが、全てのバリを除去するのには手間がかかる。そこで図５及び図６の表示装置は、縁部Ｆに装飾リングＲの外周側端部全周を覆って隠蔽する隠蔽部Ｆ１を設けている。
しかしながら、この隠蔽部Ｆ１は、透視部Ｔ上にも連続形成されているため、隠蔽部Ｆ１が透視部Ｔを遮り、表示エリアＡ２が遮られて狭くなるという問題があった。
【課題を解決するための手段】
【０００７】
そこで本発明は、前方が開口するケースに複数の表示部を有する表示器を固定し、前記ケースの開口側に前記各表示部を透視可能とする透視部と当該透視部を前記各表示部に対応する複数の表示エリアとして縁取る縁部とを有する前面カバーを設け、この前面カバーに前記縁部の前面を覆う装飾部材を設けてなり、この装飾部材の端部が前記縁部に形成した隠蔽部によって視認方向と交差する方向に覆われてなる表示装置において、隣接する前記各表示エリアの間に位置する前記透視部上領域に前記隠蔽部が形成されない欠損部を形成し、この欠損部に対応する前記透視部箇所に前記装飾部材の端部を収納する凹部を設けたものである。
【０００８】
また本発明は、前記装飾部材は、金属からなるものである。
【発明の効果】
【０００９】
本発明によれば、表示領域を確保しつつ、計器の見栄えを向上することができる表示装置を提供することができる。
【図面の簡単な説明】
【００１０】
【図１】本発明の第１実施例を示す表示装置の正面図。
【図２】同上のＡ−Ａ断面図。
【図３】同上の欠損部断面図。
【図４】同上の隠蔽部断面図。
【図５】従来の表示装置の一例を示す正面図。
【図６】同上のＢ−Ｂ断面図。
【発明を実施するための形態】
【００１１】
以下、添付図面に基づいて、本発明をオートバイに搭載される車両用の表示装置に適用した例を説明する。
【００１２】
本発明における表示装置は、前方が開口するケース１と、その開口側に複数の表示部２ａ〜２ｃを有する表示器２と、各表示部２ａ〜２ｃを透視可能とする透視部３１と、その透視部３１を複数の表示部２ａ〜２ｃに縁取る縁部３２とを備えた前面カバー３と、前面カバー３に設けられ縁部３２の前面を覆うように装着される装飾部材４とから主に構成されている。
【００１３】
ケース１は、合成樹脂材料から成形され、表示器１を例えばビス留めやフック留めなどの適宜固定方法によって後述する回路基板に組付固定し、ケース１に収納するものである。
【００１４】
表示器２は、ケース１に保持される硬質の回路基板２１と、回路基板２１上に実装される駆動本体２２と、駆動本体２２から延びる指針軸２３の先端に装着される指針２４と、指針２４が支持する指標部２５が合成樹脂製の板材の表面に印刷などで施された表示板２６と、回路基板２１に実装され指針２４及び表示板２６を照明する光源２７と、遮光性のある例えば白色の合成樹脂からなり光源２７からの光を表示板２６へ導くための反射体２８とから構成されている。
【００１５】
前面カバー３は、各表示部２ａ〜２ｃに対応する透視部３１と、各表示部２ａ〜２ｃを縁取る縁部３２とからなり、この縁部３２によって各表示部２ａ〜２ｃに対応する複数の表示エリア３ａ〜３ｃを形成している。なお透視部３１は例えば透明な合成樹脂、縁部３２は遮光性合成樹脂を用いて二色成形され、単一部品からなる前面カバー３を形成している。
【００１６】
装飾部材４は、例えばステンレスなどの金属からなるもので、本実施形態では、表示部２ａの周縁を囲むように円環状に打ち抜き成型され、両面テープなどによって縁部３２に接着固定されている。また、このように構成された表示装置にあっては、装飾部材４の表面仕上げとして光沢のある鏡面仕上げで処理されている。
【００１７】
ここで縁部３２のうち、後述する欠損部を除く箇所には、図４に示すように装飾部材４の端部４１を視認方向と交差する方向に覆う隠蔽部３２ａが形成されている。また、隣接する各表示エリア３ａ〜３ｃの間に位置する透視部３１上領域は、図１に示すように隠蔽部３２ａが形成されない欠損部３２ｂとして形成されている。
【００１８】
この欠損部３２ｂ上に位置する装飾部材４箇所に対応する前面カバー３箇所には、図３に示すように、透視部３１の一部と縁部３２の一部とで装飾部材４の端部４１を収納する凹部３３が形成されている。
【００１９】
このように本発明は、前方が開口するケース１に複数の表示部を有する表示器２を固定し、ケース１の開口側に各表示部２ａ〜２ｃを透視可能とする透視部３１とこの透視部３１を各表示部２ａ〜２ｃに対応する複数の表示エリア３ａ〜３ｃとして縁取る縁部３２とを有する前面カバー３を設け、この前面カバー３に縁部３２の前面を覆う装飾部材４を設けてなり、この装飾部材４の端部４１が縁部３２に形成した隠蔽部３２ａによって視認方向と交差する方向に覆われてなる表示装置において、隣接する各表示エリア３ａ〜３ｃの間に位置する透視部３１上領域に隠蔽部３２ａが形成されない欠損部３２ｂを形成し、この欠損部３２ｂに対応する透視部３１箇所に装飾部材４の端部４１を収納する凹部３３を設けたことによって、表示エリアを狭めることなくデザイン性を向上することができる。
【００２０】
また、装飾部材４の端部４１を前面カバー３と縁部３２との間に設けた凹部３３に潜り込ませることができるので、バリ等が生じる場合も前面カバー３の表面に出ない構造となり見栄えを向上することができる。
【００２１】
また本発明は、装飾部材４は、金属からなることによって、高級感を演出することが可能となる。
【符号の説明】
【００２２】
１    ケース
２    表示器
２ａ〜２ｃ  表示部
３    前面カバー
３ａ〜３ｃ  表示エリア
４    装飾部材
２１  回路基板
２２  駆動本体
２３  指針軸
２４  指針
２５  指標部
２６  表示板
２７  光源
２８  導光体
３１  透視部
３２  縁部
３２ａ  隠蔽部
３２ｂ  欠損部
３３  凹部
４１  端部
Ｆ    縁部
Ｆ１  隠蔽部
Ｒ    装飾リング
Ｔ    透視部
【図１】
0005413255.tif 000002
【図２】
0005413255.tif 000003
【図３】
0005413255.tif 000004
【図４】
0005413255.tif 000005
【図５】
0005413255.tif 000006
【図６】
0005413255.tif 000007